(57)【要約】  【課題】  ハンチング現象を抑えて湯水の混合温度の安定化性能の向上を図ることができる湯水混合水栓を提供すること。  【解決手段】  弁体１を挟むように湯弁座２および水弁座３を設け、湯弁座２および水弁座３に対する弁体１の開度に応じた流量の湯および水をその下流側にある混合部４に送り、この混合部４に至った湯または水またはそれらを混合してなる混合水を外部に吐出するように構成された湯水混合水栓であって、湯弁座３および／または水弁座３の前方に径がほぼ一定であるストレート部分１７または前方ほど広がるテーパ部分を連設してある。  【選択図】  図１
2005257007.tif 000002
【特許請求の範囲】
【請求項１】
弁体を挟むように湯弁座および水弁座を設け、湯弁座および水弁座に対する弁体の開度に応じた流量の湯および水をその下流側にある混合部に送り、この混合部に至った湯または水またはそれらを混合してなる混合水を外部に吐出するように構成された湯水混合水栓であって、湯弁座および／または水弁座のシート面部の前方に径がほぼ一定であるストレート部分または前方ほど広がるテーパ部分を連設してあることを特徴とする湯水混合水栓。
【発明の詳細な説明】
【技術分野】
【０００１】
この発明は、例えば、湯と水との混合比を変える弁体を備え、自動温度調整機能を持つ湯水混合水栓に関する。
【背景技術】
【０００２】
例えば浴室や洗面台などに設置される自動温度調整機能を持つ湯水混合水栓として、弁体を挟むように湯弁座および水弁座を設け、湯弁座および水弁座に対する弁体の開度に応じた流量の湯および水をその下流側にある混合部に送り、この混合部に至った湯または水またはそれらを混合してなる混合水を外部に吐出するように構成され、また、混合部中に設けた感温作動部により前記弁体を移動させ、湯および水の混合比を自動調整するように構成されたものがある。上記構成からなる湯水混合水栓では、例えば給湯・給水圧の変動などによって湯および水の混合比が変わり、それを受けて混合水の温度が変化しても、すぐにその温度を元の設定温度に戻すことができる。
【発明の開示】
【発明が解決しようとする課題】
【０００３】
しかし、上記従来の湯水混合水栓では、水弁座のシート面部がほぼ平面であったので、弁体が水弁座のシート面部近傍に移動してきた際、この水弁座のシート面部から弁体までの距離と、水弁座のシート面部と弁体との間を通る水の流量とがほぼ比例していた。そのため、弁体が水弁座に近づいたときに、弁体の開度の時間的な変化が大きいことが原因となって、ハンチングが起きて混合水の温度がすぐに安定しないという問題があった。
【０００４】
この発明は上述の事柄に留意してなされたもので、その目的は、ハンチング現象を抑えて湯水の混合温度の安定化性能の向上を図ることができる湯水混合水栓を提供することである。
【課題を解決するための手段】
【０００５】
上記目的を達成するために、この発明の湯水混合水栓は、弁体を挟むように湯弁座および水弁座を設け、湯弁座および水弁座に対する弁体の開度に応じた流量の湯および水をその下流側にある混合部に送り、この混合部に至った湯または水またはそれらを混合してなる混合水を外部に吐出するように構成された湯水混合水栓であって、湯弁座および／または水弁座のシート面部の前方に径がほぼ一定であるストレート部分または前方ほど広がるテーパ部分を連設してあることを特徴としている（請求項１）。
【発明の効果】
【０００６】
請求項１に係る湯水混合水栓では、ストレート部分またはテーパ部分を設けたことによって弁座のシート面部に対してその近傍にまで移動してきた弁体の開度の時間的な変化を小さくすることができるので、従来の湯水混合水栓のようにハンチングが生じることがなく、極めて短い時間で所定温度（例えば４０℃）の混合水を吐出する状態に安定することになる。
【発明を実施するための最良の形態】
【０００７】
図１および図２は、この発明の一実施例を示し、図１は、この発明の一実施例に係る湯水混合水栓の構成を概略的に示す側面図、図２は、水弁座部材の構成を概略的に示す説明図である。
この実施例の湯水混合水栓は、弁体１を挟むように湯弁座２および水弁座３を設け、湯弁座２および水弁座３に対する弁体１の開度に応じた流量の湯および水をその下流側にある混合部４に送り、この混合部４に至った湯または水またはそれらを混合してなる混合水を外部に吐出するように構成されている。
【０００８】
詳しくは、弁体１には混合部４内に配置される感温作動部としてのサーモエレメント５が連結され、このサーモエレメント５および弁体１は、ばね６によって図中左側に付勢されている。また、サーモエレメント５は内部にサーモワックス７を収容し、このサーモワックス７が混合部４内の混合水からの熱によって膨張すると、ピン８を図中左側に押し出すように構成されている。そして、このピン８の先端はピン受け部材９に当接しており、このピン受け部材９はバイアススプリング１０により図中右側に付勢されている。
【０００９】
ここで、バイアススプリング１０の図中左端は、湯水混合水栓の温度調整ハンドル（図示していない）の回動操作に連動して図中において左右方向に移動する連動部材１１に当接している。そのため、温度調整ハンドルを回動操作すると、連動部材１１のバイアススプリング１０に対する付勢力が変化し、これにより、弁体１が図中左右方向に移動することになる。
【００１０】
なお、１２および１３は混合部４を内部に有する第１ハウジング１４に設けられた湯導入口および水導入口、１５は弁体１の外周壁に設けられた環状のパッキンである。また、１６は水弁座３が設けられ、サーモエレメント５に挿通される水弁座部材である。
【００１１】
ここまでの構成は、従来の湯水混合水栓と何ら変わるところがない。そして、この実施の形態の湯水混合水栓は、前記水弁座３の構造に特徴がある。すなわち、図２中の拡大図に示すように、水弁座３のシート面部３ａは環状をしており、かつ外側ほど前側（図中右側）に位置するテーパ状に形成されている。また、シート面部３ａの前方（図中右側）には、同じく環状で内径がほぼ一定であるストレート部分１７が設けられ、さらに、このストレート部分１７の前方（図中右側）には、環状で先端側（図中右側）ほど内径が大きくなる曲面部分１８が設けられている。
【００１２】
ここで、前記ストレート部分１７の図中左右方向の長さは０．１〜０．５ｍｍの範囲で設定され、好ましくは０．２〜０．４ｍｍの範囲で設定される。また、ストレート部分１７の内周面と、前記弁体１におけるストレート部分１７の内側を移動する部分１ａの外周面との間には適宜の隙間が形成されるように構成されている。
【００１３】
上記の構成からなる湯水混合水栓では、湯導入口１２からハウジング１４内に入った湯は、弁体１と湯弁座２との間を通り、混合部４に至る。一方、水導入口１３からハウジング１４内に入った水は、弁体１と水弁座３との間を通り、混合部４に至る。そして、混合部４に至った湯または水またはそれらを混合してなる混合水は、湯水混合水栓の外部に吐出される。
【００１４】
ここで、例えば給湯・給水の圧の変動などによって混合部４における湯および水の混合比が変わり、混合部４内の混合水の温度が高くなると、混合部４内のサーモエレメント５のサーモワックス７が膨張してピン８を図中左側に押し出し、サーモエレメント５全体が図中右側に移動する。それに伴って弁体１が湯弁座２側へと移動し、水の流量比が増えて、混合水の温度が元に戻る。反対に、混合水の温度が低くなった場合には、前記サーモワックス７が収縮してピン８がサーモエレメント５内（すなわち図中右側）に後退し、サーモエレメント５全体が図中左側に移動する。それに伴って弁体１が水弁座３側へと移動し、湯の流量比が増えて、混合水の温度が元に戻る。このようにして、混合水の自動温度調整が行われる。
【００１５】
そして、上記湯水混合水栓では、弁体１を水弁座３のシート面部３ａに近づける際、弁体１と水弁座３との間を経て流れる水の流量は、弁体１が曲面部分１８内を図１において右側から左側に移動するに伴って小さくなり、また、弁体１がストレート部分１７内を図１において右側から左側に移動する間はほぼ一定となり、さらに、弁体１がストレート部分１７内を通過した後、シート面部３ａに向かって移動するに伴って小さくなる。
【００１６】
従って、前記湯水混合水栓では、例えば、水のみを吐出する状態から混合水を吐出する状態となるように温度調整ハンドルを操作したようなときに、前記ストレート部分１７を設けたことによって水弁座３のシート面部３ａに対してその近傍にまで移動してきた弁体１の開度の時間的な変化を小さくすることができるので、従来の湯水混合水栓のようにハンチングが生じることがなく、極めて短い時間で所定温度（例えば４０℃）の混合水を吐出する状態に安定することになる。
【００１７】
この発明は、上記の実施の形態に限られず、種々に変形して実施することができる。例えば、上記実施の形態では、熱膨張・収縮するサーモワックス７を収容したサーモエレメント５を感温作動部として備えたタイプの湯水混合水栓を示しているが、このような構成に限られず、形状記憶合金を用いてコイル状に形成された感温スプリングを感温作動部として備えたタイプの湯水混合水栓であってもよい（例えば、特願２００４−００７２３０の願書に添付した明細書および図面参照）。
【００１８】
また、水弁座３のシート面部３ａに連設したストレート部分１７および曲面部分１８に相当する構成を、湯弁座２のシート面部に対して設けてもよい。すなわち、通常、水弁座３に向けて流れてくる水の圧の方が湯弁座２に向けて流れてくる湯の圧よりも大きく、上記ハンチングは弁体１を水弁座３のシート面部３ａに近づけたときに生じることが多いので、上記実施の形態では水弁座３のシート面部３ａにのみストレート部分１７および曲面部分１８を連設しているが、前記湯の圧が前記水の圧と同等程度である場合などには、上述したようにストレート部分１７および曲面部分１８に相当する部分を湯弁座２のシート面部に連設することが好ましい。
【００１９】
さらに、前記ストレート部分１７に代えて、シート面部３ａの前側に前方ほど広がるテーパ部分（図示していない）を設けてもよい。ここで、シート面部３ａが前方ほど広がるテーパ状となっている場合には、このシート面部３ａのテーパ角度よりテーパ部分のテーパ角度が小さくなるように設定することが好ましい。
【図面の簡単な説明】
【００２０】
【図１】この発明の一実施例に係る湯水混合水栓の構成を概略的に示す側面図である。
【図２】水弁座部材の構成を概略的に示す説明図である。
【符号の説明】
【００２１】
１    弁体
２    湯弁座
３    水弁座
３ａ  シート面部
４    混合部
１７    ストレート部分
【図１】
2005257007.tif 000003
【図２】
2005257007.tif 000004